Podtech/llm-jp-corpus-v4-ja_patent huggingface dataset:
(57)【要約】【課題】光照射範囲の広いLED照明装置を提供する。【解決手段】フード２１、台座２２及び少なくとも一つの発光ダイオード２３を備え、該発光ダイオードを該台座上に配置し、該フードを該台座及び該発光ダイオードを覆って配置し、前述の発光ダイオードの前方に該フードと結合する少なくとも一枚の多角面透光板を設ける。該発光ダイオードの照射光が、該多角面透光板を透過することにより、方向性の強い発光ダイオードの照射光が広い範囲に屈折拡散して広い範囲の照明ができる。【選択図】  図2
0003134323.tif 000002
【実用新案登録請求の範囲】
【請求項１】
フード、台座及び少なくとも一つの発光ダイオードを具え、
該発光ダイオードを該台座表面に配置し、
該フードを該台座及び該発光ダイオードを覆って配置し、
該発光ダイオードの前方に該フードと結合する少なくとも一枚の多角面透光板を設け、
該発光ダイオードの照射光が、該多角面透光板を透過することにより屈折拡散されて、照明範囲を拡大するようにしたことを特徴とするLED照明装置。
【請求項２】
前記フードは、台座に対する固定側及び照明光を発散する開放側を具有し、該開放側に前記多角面透光板に対する取り付け部を少なくとも一つ設置したことを特徴とする請求項1記載のLED照明装置。
【請求項３】
前記多角面透光板の、前記フードの取り付け部に対応する箇所に少なくとも一つの結合部を設けたことを特徴とする請求項2記載のLED照明装置。
【請求項４】
前記台座はサーキッドボートであり、該発光ダイオードに電源を提供することを特徴とする請求項1記載のLED照明装置。
【請求項５】
前記多角面透光板の表面は、異なる角度の連結面で構成することを特徴とする請求項1記載のLED照明装置。
【考案の詳細な説明】
【技術分野】
【０００１】
本考案はLED照明装置に関し、特に発光ダイオード（Light Emitting Diodes, LEDs）を光源とする照射構造に関する。
【背景技術】
【０００２】
部品技術の進歩につれ、発光ダイオードを光源とする照明装置が普及している。発光ダイオードは体積が小さく、電気の消費量が少なく、省エネ及び多種の異なる波長(色)が選べるため、大量に使われているのが現状である。
【０００３】
現在使用されている発光ダイオードを用いた光源は、図1に示すように、フード11、台座12及び少なくとも一つの発光ダイオード13を具有し、該発光ダイオード13は該台座12に配置し、該フード11は該台座12及び該発光ダイオード13を覆うように設置する。前述台座12はサーキッドボード12であり、該発光ダイオード13に電源を供給し、発光する。且つ該発光ダイオード13の前方に該フード11と連結する透光板14を設け、該フード11及び該透光板14を介し、該発光ダイオード13が外力によって破損するのを防止すると同時に、該発光ダイオード13は該透光板14を通じて光を照射する。
【０００４】
前記の透光板14は、一般的に見られる平滑な面であり、発光ダイオード13によって生じる光は散乱光の蛍光灯と違って方向性の強い光であり、投射される光照射範囲に制限がある。大きい面積に用いる光照射の場合、発光ダイオード13の数を増やす必要があり、電気消費量が多くなるなど、従来技術は実際使用する上で問題がある。
【特許文献１】特開２００２−２８０６１７号公報
【考案の開示】
【考案が解決しようとする課題】
【０００５】
上記の従来技術の欠点を解決するために、本考案の第一の目的は、光照射範囲を拡散するLED光照射構造を提供することにある。本考案の第二の目的は発光ダイオードの使用量を減少するLED光照射構造を提供することにある。
【課題を解決するための手段】
【０００６】
前記課題を解決するために、本考案はLED照明装置を提供するものであり、フード、台座及び少なくとも一つの発光ダイオードで構成されたものである。該発光ダイオードを該台座表面に配置する。該フードは、該台座及び該発光ダイオードを覆い、その特徴は、前記発光ダイオードの前方に該フードと結合する少なくとも一枚の多角面透光板を設け、該発光ダイオードの光照射範囲は多角面透光板を通じて拡散する。
【考案の効果】
【０００７】
本考案は、フード、台座及び少なくとも一つの発光ダイオード及びフードと結合する一枚の多角面透光板の設置により、方向性の強い発光ダイオードの発光を散乱光に拡散することができる。それによって使用する発光ダイオードの数量を抑えることで、省エネにもなる。
【考案を実施するための最良の形態】
【０００８】
本考案によるLED照明装置を明確に示すために図に沿って詳細な説明を行う。図2が示すのは、フード21、台座22及び少なくとも一つの発光ダイオード（Light Emitting Diodes, LEDs）23を含み、該発光ダイオード23を該台座22上に配置し、該フード21は該台座22及び発光ダイオード23を覆うように設置する。且つ前述発光ダイオード23の前方に該フードと結合する少なくとも一枚の多角面透光板24を設ける。
【０００９】
フード21は、固定側211及び開放側212を具有し、開放側212に少なくとも一つの取り付け部213を設け、該固定側211の内面に少なくとも一つの反射面を具有する反射ユニット214を設ける。前述の多角面透光板24の該取り付け部213に対応して、少なくとも一つの結合部241を設け、該フード21と結合する。
【００１０】
台座22は、サーキッドボードであり、該発光ダイオード23に電源を提供する。該発光ダイオード23は、電子が半導体材料中にある正孔を結合する時に放たれるエネルギーによって発光する。体積が小さい、寿命が長い、起動電圧と電気消費量が低い、反応速度が速い、耐震性に優れ及び単色性能が良いなどの特性を持つ。
【００１１】
多角面透光板24の表面は異なる角度の連結面によって構成され、材質はガラス、アクリル、石英、石英ガラスまたはそれぞれ互いに組み合わせた材質を使用する。前記発光ダイオード23の生じる限られた光照射範囲が該多角面透光板24を通じて投射することにより、元の光照射範囲を拡散することができるため、発光ダイオード23の光照射範囲を改善される。大きい面積で使用する場合、発光ダイオード23の使用数量を減少することができる。
【００１２】
前述の反射ユニット214は、発光ダイオード23のフード21内に部分照射した弱い光を反射してから、多角面透光板24より外部に照射する。
【００１３】
上述の内容は本考案の最良形態であり、本考案の上述の方法及び形、構造、装置を変更するなど、同じ効果が生まれる場合は、全て本考案の権利範囲とする。
【図面の簡単な説明】
【００１４】
【図１】従来技術における構造略図である。
【図２】本考案における分解略図である。
【図３】本考案における組み立て略図である。
【図４】本考案における別の角度から見た略図である。
【符号の説明】
【００１５】
11フード
12台座
13発光ダイオード
14透光板
21フード
211固定側
212開放側
213取り付け部
214反射ユニット
22台座
23発光ダイオード
24多角面透光板
241  結合部
【図１】
0003134323.tif 000003
【図２】
0003134323.tif 000004
【図３】
0003134323.tif 000005
【図４】
0003134323.tif 000006
(57)【要約】【課題】          例えば人体の冷え易い足のつま先部分を暖める履物に使用できる即席カイロ取付けシ−トを提供する。【解決手段】      両端に袋３−１を有するシ−ト３−２であり且つ即席カイロ４が出し入れし得る即席カイロ取付けシ−トである。このシ−ト３−２の袋３−１に即席カイロ４の両端をそれぞれに収納して、履物に適応する場合には開閉式足先甲部材２内側と足先を覆う履物の足先底部７とが足先を上下になるように挟む。即席カイロ４は二つ折りが容易になるように、足先の上下暖房をする発熱材料５を二つに分けて収納する。【選択図】図２
0003134659.tif 000002
【実用新案登録請求の範囲】
【請求項１】
両端袋を有するシ−トの両端袋に即席カイロの両端をそれぞれ収納して、且つ即席カイロが出し入れし得る即席カイロ取付けシ−ト。
【請求項２】
該即席カイロ内の発熱材料を略二つに分けた即席カイロであることを特徴とする請求項１記載の即席カイロ取付けシ−ト。
【考案の詳細な説明】
【技術分野】
【０００１】  本考案は、例えば足先を暖める履物、手を暖める手袋、患部を暖めるサポ−タ−やベルト、暖かい座布団、足温器、保温器に使用できる即席カイロ取付けシ−トに関する。
【背景技術】
【０００２】従来からの技術を一緒にして、人体の冷え易い足のつま先部分を暖める即席カイロが市販され、広く利用されている。
【考案の開示】
【考案が解決しようとする課題】
【０００３】  従来からの履物は、足底を保温する製品はありますが人体の冷え易い足のつま先部分を暖めるのに機能していない。
即席カイロについては、足指を横から挟む横折りはありますが、足指全体を暖めるのに機能していない。
【課題を解決するための手段】
【０００４】  本考案は、足先を覆う履物の開閉式足先甲部材２内側と足先底部７に即席カイロ取付けシ−ト３−２を配置して、該即席カイロ取付けシ−ト３−２に即席カイロ４を収納して足先を上下から挟み、且つ即席カイロ４を出し入れし、これにより上記課題を解決するものである。【０００５】  前記即席カイロ４は、足先の上下暖房を可能にするため即席カイロ内の発熱材料５を略二つに分けた即席カイロが二つ折りが容易であり好ましい。
【考案の効果】
【０００６】  本考案に係る即席カイロ取付けシ−トは、簡単な構造のため容易に製造することができ、実用性にも優れたものである。
【考案を実施するための最良の形態】
【０００７】  図１に示すように、履物の開閉式足先甲部材２内側と足先底部７に即席カイロ取付けシ−ト３−２を接着剤などで足先に沿うように斜めに固定する。次に、即席カイロ取付けシ−ト３−２の両端袋状３−１のところに即席カイロ４の両端を収納させる。【０００８】  図２は、即席カイロ取付けシ−ト３−２に即席カイロ４を収納した断面図である。即席カイロ４は二つ折りが簡易な発熱材料５を二つに分けて収納した即席カイロである。【０００９】  図３に示すように、即席カイロ４を収納した即席カイロ取付けシ−ト３−２を二つ折りにして、開閉式足先甲部材２を足先甲部材１に留め具６で固定する。留め具は、開閉式足先甲部材２につけたゴムリングを足先甲部材１に付けたボタンに掛ける方式やホック式を使用することができる。【００１０】  上記工程により完成した本考案の即席カイロ取付けシ−トは、即席カイロを利用することで安価に利用出来る。つま先が冷え易い年配の方や夜の勉強に励む学生、台所仕事の主婦の足先の暖房に利用することができる。【００１１】  本考案は履物に適応した例を示したが、履物以外に例えば、手を暖める手袋、患部を暖めるサポ−タ−やベルト、暖かい座布団、足温器、保温器に使用することができる。
【図面の簡単な説明】
【００１２】
【図１】    本考案に係る即席カイロ取付けシ−トつき履物の概略図
【図２】    本考案に係る即席カイロ取付けシ−トの断面図
【図３】    本考案に係る即席カイロ取付けシ−トつき履物の概観図
【符号の説明】
【００１３】        １・・・・履物の甲部材
２・・・・足先甲部材
３−１・・即席カイロ取付けシ−ト両端袋
３−２・・即席カイロ取付けシ−ト
４・・・・即席カイロ
５・・・・即席カイロ内の発熱材料
６・・・・開閉式足先甲部材の留め具
７・・・・履物の足先底部
【図１】
0003134659.tif 000003
【図２】
0003134659.tif 000004
【図３】
0003134659.tif 000005
(57)【要約】【課題】  本考案は、寝台で就寝休息中の乳児に母親に抱かれているような安心感を与え、良く眠らせ楽しく遊ばせることによって母親の負担を軽減する。【解決手段】  乳児を抱きかかえるように包み込むハンモックと揺りかごの原理を融合させ上下前後左右自在にゆれる構造にした乳児用就寝休息用具で、弾力性がある支柱と伸縮性がある釣り紐の併用により滑らかで自在な動きを作り出し、寝台に乗った乳児に母親に抱かれているような擬似感覚を与え安心して眠るようにした【選択図】図１
0003134656.tif 000002
【実用新案登録請求の範囲】
【請求項１】
支柱や支点に吊るした枠にハンモック状の網や布を固定し、揺りかごとハンモックの効用を融合させた小児用就寝休息用具
【請求項２】
弾力性がある支柱や、支柱に固定した弾力性がある支点に吊るして、上下前後左右自在に動く小児用就寝休息用具
【請求項３】
伸縮性がある吊りひもで、支柱や支柱に取り付けた支点に吊るし上下前後左右自在に動く小児用就寝休息用具
【請求項４】
弾力性がある湾曲した支柱に吊るして上下前後左右自在に動く小児用就寝休息用具
【考案の詳細な説明】
【技術分野】
【０００１】  本考案は、乳児に母親に抱かれているような安心感を与え、良く眠らせ楽しく遊ばせるため、乳児を包み込むハンモックと揺りかごの原理を融合させた乳児用就寝休息用具に関するものである。
【背景技術】
【０００２】  従来のベビーベッドでは、乳児が寝起きで機嫌が悪いときや、夜鳴きしたときは、母親等育児者が抱き上げてあやしていた。
【考案の開示】
【考案が解決しようとする課題】
【０００３】  乳児は寝起きした時、母親等がそばにいないと不安を感じて泣き出すことが多く夜鳴きして育児者が唾眠不足になることもある。泣き出すたびに抱き上げていたのでは肉体的疲労も大きい。本考案は寝台部分やつり紐に軽く触れるだけで、母親に抱かれてあやされているような錯覚を乳児に感じさせ、育児者の肉体的精神的負担を軽減するものである。
【課題を解決するための手段】
【０００４】  本考案は普通屋外で使用するハンモックと揺りかごを融合し小型軽量化したもので、ハンモックの枠や吊り紐などを軽く触るだけでリズミカルに動く構造にした。母親に抱かれてあやされている感触や動きを再現するため、湾曲した支柱に吊るした枠に赤ちゃんを抱きかかえるように包み込むハンモック状の布を固定し、支柱の弾力と吊り紐の一部に使用したゴムの伸縮で上下前後左右滑らかにゆれる構造にした。
【考案の効果】
【０００５】  揺れるハンモックを使用中乳児が泣き出した場合、抱き上げる必要はほとんどなく、誰かがそばに行ってハンモックの枠や吊り紐などを軽く触るだけで、抱き上げてあやしているような動きでゆれるため乳児は安心して眠ったり遊んだりする。育児中の考案者も夜間に泣き出しても抱き上げてあやす必要がほとんどなくなり、睡眠不足が解消された。
【考案を実施するための最良の形態】
【０００６】  ハンモック状の寝台の大きさは、巾６０センチから６５センチ、長さ１００センチ前後が最適、釣り紐の一部に伸縮性があるゴムを使用する。支柱はやや弾力性があるものを使い、分解して保管できる構造とする。
【実施例】
【０００７】  以下添付図面に従って実施例を説明する。１は弾力性がある支柱で２はゴム紐１と２の効用により上下前後１０センチ程度、左右５０センチ程度揺れる。乳児が手足を動かすたび揺れ、次第に揺れ巾が増幅して揺れ続ける。【０００８】  ５のハンモック状の寝台部分に乳児を寝かせる。１，２，３，４，５のいずれの部分を触っても寝台が揺れる。立ったままあやす場合は１か２を持って揺する。座ってあやす場合は、３か４か５に寝かせた乳児の体に軽く触れるだけでリズミカルに揺れる。【０００９】  寝かせたまま一人で遊ばせるときは左右に大きく揺すっておくと１０分ぐらい揺れ続ける。寝台で泣き出した乳児をあやす場合や寝かせる場合は、乳児の顔を覗き込みながら４の寝台の枠を軽くリズミカルに２センチから３センチ押し下げる。この方法でゆすると乳児は抱かれてあやされている時とほとんど変わらない表情になり安心してよく眠る。
【図面の簡単な説明】
【０００９】
【図１】は本考案の側面図
【図２】は正面図
【図３】は平面図
【符号の説明】
【００１０】  １  支柱
２  ゴム製つり紐
３  つり紐
４  寝台枠
５  ハンモック状布
６  支柱固定台
【図１】
0003134656.tif 000003
【図２】
0003134656.tif 000004
【図３】
0003134656.tif 000005
(57)【要約】      （修正有）【課題】植物（生花等）や保存花の表面を蛍光剤入りスプレーにてコーティングすることにより、昼間や蛍光灯等の下では花そのものを見て楽しむことができると共に、夜間はブラックライトを照射させることにより、蛍光剤が発光し、幻想的な植物（生花等）や保存花を表現できるもので、昼と夜２度楽しむことができると共に、水分の蒸発を抑えることにより植物を長持ちさせることができ、保存花においては花を傷めることなく飾ることができる蛍光植物を提供する。【解決手段】植物の表面の全体あるいは一部を蛍光剤Ｋ入りスプレーにてコーティングしてなることを特徴とする蛍光植物１。【選択図】図１
0003134658.tif 000002
【実用新案登録請求の範囲】
【請求項１】
植物の表面の全体あるいは一部を蛍光剤入りスプレーにてコーティングしてなることを特徴とする蛍光植物。
【請求項２】
植物に水のかわりに保湿剤を入れ腐敗を防止してなる保存花の表面の全体あるいは一部を蛍光剤入りスプレーにてコーティングしてなることを特徴とする蛍光植物。
【請求項３】
蛍光剤入りスプレーが、水溶性であることを特徴とする請求項１又は２記載の蛍光植物。
【請求項４】
蛍光剤入りスプレーが、透明であることを特徴とする請求項１、２又は３記載の蛍光植物。
【考案の詳細な説明】
【技術分野】
【０００１】  本考案は、植物（生花等）や保存花の表面に蛍光剤入りスプレーにてコーティングしてなる蛍光植物に関するものである。
【背景技術】
【０００２】  従来技術として、装飾性を加えた造花を基材とし、第一層に蓄光剤をコーティングし、さらに第二層に光触媒である酸化チタン等をコーティングする。第一層と第二層の間に、中間層として無機材料、ポリシロキサン樹脂またはフッ素樹脂をコーティングするものがある。（特許文献１参照）
【特許文献１】  特開２００６−３７３０５号公報
【考案の開示】
【考案が解決しようとする課題】
【０００３】  上記の従来技術は、抗菌、防汚、消臭、浄水、空気浄化機能を有する光触媒と、暗所において発光する機能を有する蓄光剤との相乗効果により、両機能を最大限に活かした装飾性の高い造花を提供することを目的とするものであり、他にも造花に蓄光剤入りスプレーにて夜光花にしてなるものがある。【０００４】  しかしながら、すべて造花（樹脂製、布製、紙製、ドライフラワー等）であり、植物（生花等）や保存花に蛍光剤入りスプレーにて昼間は通常の植物（生花等）や保存花として楽しむことができると共に、夜間はブラックライトを照射することにより色々な色に発光するという作用・効果はなく、また、花びら・葉等の腐敗や劣化を防止する作用・結果を有していない。【０００５】  本考案は、このような従来の構成が有していた問題を解決しようとするもので、植物（生花等）や保存花の表面を蛍光剤入りスプレーにてコーティングすることにより、昼間や蛍光灯等の下では花そのものを見て楽しむことができると共に、夜間はブラックライトを照射させることにより、蛍光剤が発光し、幻想的な植物（生花等）や保存花を表現できるもので、昼と夜２度楽しむことができると共に、水分の蒸発を抑えることにより植物を長持ちさせることができ、保存花においては花を傷めることなく飾ることができる蛍光植物を提供することを目的とする。
【課題を解決するための手段】
【０００６】  本考案は、上記目的を達成するために、植物（生花等）の表面の全体あるいは一部を蛍光剤入りスプレーにてコーティングしてなる。
また、植物に水のかわりに保湿剤を入れ腐敗を防止してなる保存花の表面の全体あるいは一部を蛍光剤入りスプレーにてコーティングしてなる。
さらに、蛍光剤入りスプレーが、水溶性である。
さらにまた、蛍光剤入りスプレーが、透明であることを特徴とする。
【考案の効果】
【０００７】１）、植物（生花等）の表面の全体あるいは一部を蛍光剤入りスプレーにてコーティングすることにより、特に水溶性の蛍光剤入りスプレーを使用することにより、その成分であるアクリル樹脂等により水分の蒸発を抑え、長時間（スプレーしない生花と比較し、２〜４倍長持ちする）生花等を楽しむことができ、かつ、蛍光剤により、夜間ブラックライトを照射することにより、赤・緑・青等の発光を楽しむことができる。
２）、同様に保存花の表面の全体あるいは一部を蛍光剤入りスプレーにてコーティングすることにより、特に花を傷めることなく、昼夜楽しむことができると共に、結婚式のキャンドルサービス等の装飾花として参加者の目を引くと共に、長期使用できるため、何度でも使用できるものである。
３）、水溶性の蛍光剤入りスプレーを使用することにより、油性のスプレーと違い有機溶剤を多く使用していないため、植物（生花等）や保存花にダメージを与えず、長持ちするものである。
４）、蛍光剤入りスプレーが、透明であるため、植物（生花等）や保存花の元の色を損なうことなく観賞できる。
５）、コーティング後、花やつぼみはそのままの状態で形態保持できる。
【考案の実施するための最良の形態】
【０００８】  まず、第１実施例の蛍光植物１は、生花Ｓ（例えばバラ、カーネーション、マーガレット等）の花部Ｓ１に、水溶性の蛍光剤入りスプレーにて蛍光剤Ｋを吹き付け、花部Ｓ１の全体あるいは一部をコーティングしたものである。
また、葉Ｌに吹き付けてもよく、色々な蛍光剤を使用することにより、自分の好みの色に合わせた蛍光植物１ができるものである。
【０００９】  なお、水溶性の蛍光剤入りスプレーの成分としては、例としてアクリル系樹脂等、蛍光剤（赤色・緑色・青色等）、溶媒（イオン交換水等）、噴射剤（ＤＭＥ）などが望ましいが、水溶性樹脂としてアルキド樹脂、アミノ樹脂、エポキシエステル樹脂等なども使用可能である。
また、製品形態として、エアゾールスプレーが望ましいが、ポンプ式スプレー、機械装置によるスプレーも考えられる。
【００１０】  この蛍光植物１は、日中は通常の生花等として楽しめ、夜はブラックライト（図示せず）により発光する生花等として楽しめるものである。
【００１１】  つぎに、第２実施例の蛍光植物２１は、保存花Ｈ（通常、ブリーザーブドフラワー・ブリザートフラワー・プリザーブドフラワーといわれている生花の状態に近い状態で保持するもので、１０年以上枯れないとされ、水分のかわりに保湿剤を花の中に入れ腐敗を防止してなるもので、バラやカーネーションの花部等いろいろ加工されてなるものである。）を例えばリースに加工したものに同様に水溶性の蛍光剤入りスプレーにて蛍光剤Ｋ１を吹き付け、コーティングするもので、結婚式等のイベントに何度でも使用でき、長期に使用できるものである。
【００１２】  上記各実施例において、植物における生花等及び保存花の種類は特に限定するものではなく、サボテンやアロエ等にも使用できる。
なお、特に生花において長時間使用後、ドライフラワーになった状態でも、夜間ブラックライトを照射することにより発光することができ、長期に楽しめるものである。
【図面の簡単な説明】
【００１３】
【図１】  本考案の第１実施例を示す蛍光植物の正面図である。
【図２】  本考案の第２実施例を示す蛍光植物の正面図である。
【符号の説明】
【００１４】  １−−−蛍光植物
Ｓ−−−生花
Ｓ１−−花部
Ｈ−−−保存花
Ｋ−−−蛍光剤
Ｌ−−−葉
【図１】
0003134658.tif 000003
【図２】
0003134658.tif 000004
(57)【要約】      （修正有）【課題】ジンギスカン料理を楽しむ際、鍋から汁や具材がこぼれにくく、ジンギスカン料理以外の焼き物も出来るジンギスカン鍋を提供する。【解決手段】鉄製平板の中央部に設けてある湾曲面の凹部状であるため、ジンギスカン及び野菜を焼く際、汁や野菜等が鍋の外にこぼれにくくなり、非凹部の平坦部には略等間隔で４箇所に小凹部を設けるとともに、小凹部間には多数の小穴を穿設してある。【選択図】図１
0003134655.tif 000002
【実用新案登録請求の範囲】
【請求項１】
周縁部を全周に亘って屈曲する補強淵を有する鉄製平板の中央部に、前記補強淵の屈曲方向と同方向に湾曲面を有する素材の収容部となる凹部を形成し、非凹部の平坦部には略等間隔で４箇所に小凹部を設けるとともに、該小凹部間には多数の小穴を穿設して成る焼肉兼用のジンギスカン鍋。
【考案の詳細な説明】
【技術分野】
【０００１】本考案は、ジンギスカン鍋に関する。
【背景技術】
【０００２】北海道の名物ともいえるジンギスカン。数年前に比ベジンギスカンの消費量は、減ってきている。アウトドアブームで、ジンギスカンよりバーベキューというスタイルが普及してきたためともいえる。また、牛肉の価格低下も原因のひとつにあげられる。しかし、羊肉は脂肪の燃焼を促進するアミノ酸の一種カルニチンや鉄分が豊富に含まれており、栄養価が高くダイエットにも効果的とあらためて注目されてきている。【０００３】近年ではジンギスカン鍋は、使い捨てのものが大半を占め低価格で、購入することが可能になった。また、この鍋はジンギスカン専用であるため他の焼肉を楽しむことが出来なかった。【０００４】ジンギスカン鍋は、円形で中心部が凸型の半球面で外周はこぼれ防止の淵が設けてあるものが主流である。しかし、実際ジンギスカンを焼くともやし等の野菜がこぼれたり、ジンギスカンの汁が鍋から噴き出したりといった現象が生じていた。
【考案の開示】
【考案が解決しようとする課題】
【０００５】従来のジンギスカン鍋の場合、汁やもやし等の野菜が淵からこぼれる現象が生じていた。また、前記鍋は、ジンギスカン料理のみに限られてしまい、他の焼肉を楽しむことができない。またジンギスカンを網焼きにしてしまうと本来のおいしさを味わえない。そこで、汁やもやし等の野菜がこぼれずかつジンギスカン以外の焼肉を楽しめるジンギスカン鍋を提供することを課題とする。
【課題を解決するための手段】
【０００６】本考案は、鉄製平板の周縁部を全周に亘って屈曲する補強淵を施してあるため丈夫な形状になっており、中央部には前記補強淵の屈曲方向と同方向に湾曲面を有する素材の収容部となる凹部を形成し、味付けジンギスカンや野菜からでる水分が前記凹部に集まるような形状になっている、非凹部の平坦部に設けてある略等間隔で４箇所の小凹部と、該小凹部間に多数の小穴を穿設してあるところではジンギスカン料理以外の焼き料理にも対応することができるようになりバリエーション豊かな焼肉を楽しむことが可能になる。
【考案の効果】
【０００７】本考案は、ジンギスカンやこぼれやすいもやし等の野菜を、鉄製平板の中央部に設けてある湾曲面を有する凹部で焼くため汁や野菜が外にこぼれにくくなった。従来の専用鍋はジンギスカン料理のみを食するものであったが、非凹部の平坦部に略等間隔で４箇所に設けた小凹部と、該小凹部間に多数の小穴を設けたことで、ジンギスカン料理以外の焼き物にも対応でき、バリエーション豊かな焼肉を楽しむことが可能になった。
【実施例】
【０００８】図１、図２、図３、図４で本考案の実施例を説明する。本考案の焼肉兼用ジンギスカン鍋の外観形状は、図１で示す円形や図２で示す四角形であっても効果は同様に得ることができる。板状の鉄板をレーザー加工機にて多数の小穴と外周形状を切断する。図１、図２で示す形状になるプレス金型をプレス機に設置し前記レーザー加工機で切断した鉄板をプレス機にセットしプレス作業を行う。成形された鉄板にテフロン加工を施せば料理後の洗浄も容易であり、製品寿命も長く保つことができる。本考案の焼肉兼用ジンギスカン鍋は、鉄製平板の中央部に湾曲面を有する凹部１が設けてある、コンロで温めた前記鉄製平板の前記凹部１に素材となるもやし等の野菜を最初にのせ、その上にジンギスカンをのせる、ジンギスカンは野菜から出る蒸気により蒸し焼き状態になりより一層おいしくなる。前記鉄製平板の周縁部を全周に亘って屈曲する補強淵２を施してあるため丈夫な形状になっている。前記鉄製平板の非凹部の平坦部には略等間隔で４箇所に小凹部３を設けるとともに、該小凹部間には多数の小穴４を穿設してあるため、前記小凹部３と前記小穴４では、ジンギスカン料理以外の焼き鳥、ウィンナー等の焼き物を楽しむことが出来る。
【図面の簡単な説明】
【０００９】
【図１】本考案焼肉兼用ジンギスカン鍋の円形型を上から見た図である。
【図２】本考案焼肉兼用ジンギスカン鍋の四角型を上から見た図である。
【図３】本考案焼肉兼用ジンギスカン鍋のＡ断面図である。
【図４】本考案焼肉兼用ジンギスカン鍋のＢ断面図である。
【符号の説明】
【００１０】１  中央部湾曲面の凹部
２  補強淵
３  小凹部
４  多数の小穴
【図１】
0003134655.tif 000003
【図２】
0003134655.tif 000004
【図３】
0003134655.tif 000005
【図４】
0003134655.tif 000006
(57)【要約】      （修正有）【課題】簡易かつ安全に個人情報を携帯できる手段の提供。【解決手段】個人情報を表示するＱＲコード（登録商標）２とイラスト３とが印刷されているシール１。緊急時にＱＲコード２を読み取ることにより、個人情報を得ることができる。さらにこのシールを光反射シールとすることにより、夜間の外出時の交通事故の防止に役立つ。【選択図】図１
0003134606.tif 000002
【実用新案登録請求の範囲】
【請求項１】
個人情報を表示するＱＲコードとイラストとが印刷されていることを特徴とするシール。
【請求項２】
前記シールが光反射シールであることを特徴とする請求項１に記載されたシール。
【請求項３】
裏面に粘着剤が塗布され、粘着剤上に剥離紙が粘着されていることを特徴とする請求項１または請求項２に記載されたシール。
【請求項４】
前記シールが熱転写シールであることを特徴とする請求項１から請求項３までのいずれか１項に記載されたシール。
【請求項５】
台紙と、該台紙に貼付された請求項１から請求項４までのいずれか１項に記載されたシールとを含むことを特徴とするワッペン。
【考案の詳細な説明】
【技術分野】
【０００１】
本考案は、衣類、文房具などに貼付される絵付きシールに関するものである。
【背景技術】
【０００２】
子供、高齢者などは、個人情報を持ち歩くことは少なく、外出時に事故、病気など緊急時や迷子になった場合に、対処が遅れることがある。このような問題に対して、個人情報をＱＲコード化して下着および衣類にプリントすることが提案されている（特許文献１）。
【特許文献１】特開２００６−２４９６３８公報
【考案の開示】
【考案が解決しようとする課題】
【０００３】
しかし、下着および衣類に直接プリントすると、緊急事態等はいつ発生するか予測できないため、外出時には常にＱＲコードのプリントされた下着や衣類を着用しなければならない。また、洗濯により色落ち、汚れの付着などによりＱＲコードが読み取れなくなることもある。さらに、例えば電話番号、住所の変更などの情報に変化があった場合にＱＲコードを消去して新しいＱＲコードを下着や衣類に再プリントしなければならない。下着および衣類が他人に渡る場合（例えば、クリーニング）に、他人に個人情報を読み取られる虞がある。
【０００４】
そこで、本考案は、簡易に個人情報を携帯でき、情報の変化にも容易に対処できるとともに個人情報の安全にも考慮した手段を提供することを目的とする。本考案の更なる目的は、上記機能に加えて、夜間の歩行の安全を確保できる手段の提供である。
【課題を解決するための手段】
【０００５】
本考案によれば、個人情報を表示するＱＲコードとイラストとが印刷されているシールが提供される。すなわち、本考案は、子供等が衣類や文房具に貼付する絵付きシールに、ＱＲコードを組み込んだものである。
【０００６】
本考案に係るシールは光反射シールであることが好ましい。光反射シールの素材は、自動車の光等に強く反射する従来知られている種類のシールでよい。このようなシール素材としては、光反射フィルムを含む市販の光反射シールを用いることができる。
【０００７】
本発明のシールは、どのような種類のシールでもよい。例えば、裏面に粘着剤が塗布され、粘着剤上に剥離紙が粘着されたシールでもよく、また、衣類に熱転写されるような、熱転写シールとすることもできる。このような熱転写シール素材も、従来から知られているシールでよい。
【０００８】
さらに本発明の他の具体例としては、上記シールを台紙に貼付してワッペンとできる。このワッペンは、粘着剤により衣服、文房具等の貼付できるものでも、クリップにより衣服などに付着できるものでも、その他の形式のものでもよい。
【０００９】
本考案に係るシールまたはワッペンを、衣服、文房具等に添付しておくと、緊急時に携帯電話等によりＱＲコードを読み取ることができ、個人情報（氏名、年齢、住所、電話番号、緊急連絡先など）が分かり、対応が適切に行うことが可能である。また、汚れの付着などによりＱＲコードが読み取れなくなった場合や、個人情報に変更のあった場合には、交換が可能である。ＱＲコードを添付した衣類等を他人に渡す場合にもシールまたはワッペンを取り外しておけばよく、個人情報の保護も可能である。
さらに、光反射シールの場合には自動車に光等に強く反射するので、夜間の外出時の、交通事故の防止にも役立つ。
【実施例】
【００１０】
本考案に係るシール１の一例を図１に示す。シール１には、イラスト３とともに個人情報を表すＱＲコード２が印刷されている。このシールは、光反射シールであることが好ましい。
図１では、犬のイラスト３が示されているが、その他、例えば、キャラクタ、図形、文字等のどのようなイラストも使用できる。シールは、裏面に粘着剤を塗布し、さらに剥離紙が粘着された一般的シールであってもよい。このようなシールは、文房具、ランドセル、自転車、ハンドバックなどに貼付できる。
【００１１】
本考案の他の実施例では、シールは、アイロンでシールに熱を加え、転写する熱転写シールである。このようなシールは、ジャンバー、上着、トレーナ、帽子、ベルトなどに転写できる。
【００１２】
本考案に係るシールの作製手順は以下の通りである。まず、素材シートを準備する。素材シートは、適宜、裏面に粘着剤の塗布されたシート、熱転写シート等から選ばれる。次に、名前、年齢、住所、電話番号、緊急連絡先などのＱＲコードとする個人情報を決定する。ＱＲ作製ソフトを用いてＱＲコードを作成し、その内容の確認を行う。イラストを選択し、イラストデータと作成したＱＲコードとを合成する。デザインを確認した後、カラープリンタでシール素材にイラストおよびＱＲコードを印刷する。最後に、印刷されたシールを切り取る。
【００１３】
図２に、本考案に係るワッペン１０の一例を示す。このワッペンは、台紙４に上記のＱＲコードおよびイラストの印刷されたシール１を貼付したものである。このような、ワッペンは、胸に付け、カバンに吊るし、キーに付け、あるいは白衣、ユニフォームに付けること等ができる。
【００１４】
以上、本考案によるシールおよびワッペンの構成を一例として説明したが、この構成に限定されるものではなく、請求の範囲から離脱することなく種々の変更が可能であることは言うまでもない。
【図面の簡単な説明】
【００１５】
【図１】本考案に係るシールの例を示す図。
【図２】本発明に係るワッペンの例を示す図。
【符号の説明】
【００１６】
１  シール
２  ＱＲコード
３  イラスト
４  台紙
１０  ワッペン
【図１】
0003134606.tif 000003
【図２】
0003134606.tif 000004
【手続補正書】
【提出日】平成19年6月4日(2007.6.4)
【手続補正１】
【補正対象書類名】実用新案登録請求の範囲
【補正対象項目名】全文
【補正方法】変更
【補正の内容】
【実用新案登録請求の範囲】
【請求項１】
裏面に粘着剤が塗布されたシールにおいて、個人情報を表示するＱＲコード（登録商標）とイラストとが印刷されていることを特徴とするシール。
【請求項２】
台紙と、該台紙に貼付された請求項１に記載されたシールとを含むことを特徴とするワッペン。
(57)【要約】      （修正有）【課題】人体にやさしいやわらかい風を発生させながら、室内の床面に沈んだ冷機を攪拌循環させる、冷房用機器を提供する。【解決手段】プラスチック・金属・陶器等各種素材で形成された受け皿３の上に、扇風機のファン部分が受け皿を置いた床面と平行になり、ファンが回転すると、風が受け皿の底に垂直に当たるように扇風機１を設置し、受け皿の底にあたった風が３６０度に均等分散し、広がっていく床面平行回転式風水扇風機は、室内全体にやさしいやわらかい風を発生させることができる。また、受け皿に風をあてることにより床の埃の巻き上げ等を防ぐことができる。さらに、床面平行回転式風水扇風機の受け皿に水やエッセンシャルオイルなどの芳香性のある各種液体等４を注入することで、ファンが回転すると液体面を通過した風が３６０度均等分散し、やさしいやわらかい風を発生させることができる。【選択図】図２
0003134605.tif 000002
【実用新案登録請求の範囲】
【請求項１】
プラスチック・金属・陶器等各種素材で形成された受け皿の上に、扇風機のファン部分が受け皿を置いた床面と平行になり、ファンが回転すると、風が受け皿の底に垂直に当たるように扇風機を設置し、受け皿の底にあたった風が３６０度に均等分散し、広がっていくことを特徴とする床面平行回転式風水扇風機。
【請求項２】
受け皿に水やエッセンシャルオイルなどの芳香性のある各種液体等を注入し、扇風機のファンが回転すると液体面を通過して風が３６０度に均等分散して広がっていくことを特徴とする請求項１記載の床面平行回転式風水扇風機。
【考案の詳細な説明】
【技術分野】
【０００１】    本考案は、人体にやさしいやわらかい風を発生させながら室内の床面に沈んだ冷気を撹拌循環させる冷房用機器に関する。
【背景技術】
【０００２】    一般の扇風機には首振り機能等が付いている。また、サーキュレーター等は天井に向けて風をあてることにより室内の空気を撹拌することができる。
【考案の開示】
【考案が解決しようとする課題】
【０００３】    一般の扇風機には首振り機能が付いているが、限定された角度の範囲のみに風があたる。また、扇風機の風を就寝時や長時間にわたって人体に直接あてると悪影響を及ぼす可能性がある。また、サーキュレーター等は、天井に風をあてることで室内の空気を撹拌循環させる機能を持つが、冷気は床面に沈むために床面から空気を動かす方が室温を下げる効率がよい。
【課題を解決するための手段】
【０００４】    プラスチック・金属・陶器等各種素材で形成された受け皿の上に、扇風機のファン部分が受け皿を置いた床面と平行になり、ファンが回転すると、風が受け皿の底に垂直に当たるように扇風機を設置し、受け皿の底にあたった風が３６０度に均等分散し、広がっていく床面平行回転式風水扇風機は、室内全体にやさしいやわらかい風を発生させることができる。また、受け皿に風をあてることにより床の埃の巻き上げ等を防ぐことができる。【０００５】    受け皿に水やエッセンシャルオイルなどの芳香性のある各種液体等を注入した床面平行回転式風水扇風機は、ファンが回転すると液体面を通過した風が３６０度均等分散し、やさしいやわらかい風を発生させることができる。
【考案の効果】
【０００６】    室内全体に人体にやさしいやわらかい風を発生させながら室内の床面に沈んだ冷気を撹拌循環させることができる。
【考案を実施するための最良の形態】
【０００７】    床面平行回転式風水扇風機を畳や絨毯、フローリング等の床に置く。また、テーブルやデスクの下に置くことができる。【０００８】    床面平行回転式風水扇風機の受け皿に水とエッセンシャルオイルなどの芳香性のある液体等を注入することにより、アロマ効果のある風を発生させることができる。
【図面の簡単な説明】
【０００９】
【図１】    本考案の実施の一例として床面平行回転式風水扇風機を示す側面図。
【図２】    本考案の実施の一例として床面平行回転式風水扇風機の受け皿に水やエッセンシャルオイルなどの芳香性のある液体等を注入した場合の側面図。
【符号の説明】
【００１０】    １  本体
２  受け皿取り付け部
３  受け皿
４  水、エッセンシャルオイルなどの芳香性のある液体等
【図１】
0003134605.tif 000003
【図２】
0003134605.tif 000004
(57)【要約】      （修正有）【課題】マフィン等の菓子等が食べやすく、見栄えが良いとともに衛生面においても優れる使い捨てカップを提供する。【解決手段】ポリエチレンテレフタレートフィルムよりなる帯状の周壁部材がそれぞれの端部どうしが重ねられ超音波溶着により接合されて構成される周壁部２が、その一端側においてポリエチレンテレフタレートフィルムよりなる底部３の周縁に超音波溶着より接合されて一体とされた使い捨てカップ。【選択図】図１
0003134610.tif 000002
【実用新案登録請求の範囲】
【請求項１】
ポリエチレンテレフタレートフィルムよりなる帯状の周壁部材がそれぞれの端部どうしが重ねられ超音波溶着により接合されて構成される周壁部が、その一端側においてポリエチレンテレフタレートフィルムよりなる底部の周縁に超音波溶着より接合されて一体とされた使い捨てカップ。
【考案の詳細な説明】
【技術分野】
【０００１】  この考案は、菓子等各種食品を納めるように用いる使い捨てカップに関する。
【背景技術】
【０００２】  例えば、マフィンと呼ばれる洋菓子はカップ内に納められた状態で販売され、その際カップとして従来は紙製のものを使用している。
【考案の開示】
【考案が解決しようとする課題】
【０００３】  しかしながら、上記従来の紙製カップには次に述べるような問題点があった。まず、マフィンは食材がカップに入れられた状態で加熱加工されて製造され、できあがった際にマフィンがカップに付着した状態となるが、紙製カップの場合マフィンがカップに密着して食べにくいという問題があった。また、製造に際しカップ内にクリーム状の原料食材が充填されるが、紙製カップではその食材が表面に若干滲み出る場合があり、でき上がった菓子が見栄えが悪くなる問題があった。さらに、紙製カップを作る際にはのりを使用する場合があり、のりの使用は衛生面、臭い発生の点においてあまり好ましくなかった。【０００４】  この考案は上記の事情に鑑みて行ったもので、菓子等が食べやすく、見栄えが良いとともに衛生面においても優れる使い捨てカップの提供を目的とする。【０００５】  この考案では、ポリエチレンテレフタレートフィルムよりなる帯状の周壁部材がそれぞれの端部どうしが重ねられ超音波溶着により接合されて構成される周壁部が、その一端側においてポリエチレンテレフタレートフィルムよりなる底部の周縁に超音波溶着より接合されて一体とされた使い捨てカップを提供する。【０００６】  上記構成の使い捨てカップは、ポリエチレンテレフタレートフィルムよりなり表面が離形性を持つことで、マフィン等食品の付着が強力でないので食品が食べやすく、また、周壁部における接合部が外せることでも食品が食べやすい。さらに、ポリエチレンテレフタレートフィルムよりなることで食品の一体製造時に食材の滲み出しがなく、菓子等食品の意匠性が良好に保たれる。さらに、全体の組み立てが超音波溶着によりなされ紙製カップのように製造に際してのり等を使用しないので、衛生的であり、かつ、異臭の発生の恐れもない。【０００７】  この考案の使い捨てカップは、マフィン等の菓子の他に、ムース系の食品等種々の食品を納めるように用いることができる。
【考案の効果】
【０００８】  この考案によれば、菓子等が食べやすく、見栄えが良いとともに衛生面においても優れる使い捨てカップが得られる。
【考案を実施するための最良の形態】
【０００９】  図１はこの考案の使い捨てカップの実施形態の外観斜視図、図２は図１のＡ−Ａ部分の断面図である。【００１０】  使い捨てカップ１は全体が透明のポリエチレンテレフタレートフィルムから構成され、円筒状の周壁部２とその下部に一体に設けられる底部３とからなり、周壁部２に縦方向に、また底部３の周縁に沿って超音波溶着による接合部５、６のそれぞれが設けられている。接合部５の上端側には接合のなされていない取り外し部７が設けられている。なお、使用されるポリエチレンテレフタレートフィルムとしては適宜模様の付されたものを使用するが、その図示は省略している。【００１１】  図３は上記使い捨てカップの１の製造を説明する図であり、ポリエチレンテレフタレートフィルムよりなる帯状の周壁部材８がそれぞれの端部９どうしが重ねられ超音波溶着により接合されて円筒状の周壁部２とされる。次に、その周壁部２の下縁の折り重ね状態とされ環状となった部分１１上に、ポリエチレンテレフタレートフィルムよりなる円形の底部３の周縁１０が超音波溶着より一体に接合されて使い捨てカップ１が製造される。【００１２】  上記使い捨てカップ１がマフィンを納めるように用いられた場合、ポリエチレンテレフタレートフィルムよりなる使い捨てカップ１表面が離形性を持つことでマフィンの付着が強力でないので取り外しやすくて食べやすい。なお、取り外し部７を持って接合部５を離脱させ周壁部２を開くことで、さらに食べやすくなる。なお、マフィンの製造はオーブン等において２００℃程度の高温で加熱されて行われるが、ポリエチレンテレフタレートフィルムよりなる使い捨てカップ１の熱変形温度は２４０℃程度と高いので変形の恐れは無い。
【図面の簡単な説明】
【図１】  この考案の使い捨てカップの実施形態の外観斜視図
【図２】  図１のＡ−Ａ部分の断面図
【図３】  この考案の使い捨てカップの実施形態の製造説明図
【符号の説明】
１  使い捨てカップ
２  周壁部
３  底部
５  超音波溶着による接合部
６  超音波溶着による接合部
８  周壁部材
９  周壁部材の端部
１０  底部の周縁
【図１】
0003134610.tif 000003
【図２】
0003134610.tif 000004
【図３】
0003134610.tif 000005
(57)【要約】      （修正有）【課題】プラネタリウム等機械に頼らず、建物室内天井や壁面で室内を暗くして、蛍光材料による星空模様を鑑賞・学習して、天文知識や情操を高める。【解決手段】一般的な建築内装材（壁・天井紙等）に蛍光材料を星座模様に合わせて貼付印刷等施して、室内灯等にて蛍光蓄積した蛍光材料を、室内灯を消して星座模様を浮き立たせる。【選択図】図１
0003134609.tif 000002
【実用新案登録請求の範囲】
【請求項１】
蛍光材料付き建築内装材料の模様を四季の星座模様にして、建物内天井面の仕上材料に用い、天井灯等にて蛍光蓄積したうえで消灯し、室内を暗くすることで簡便に天井の星座を鑑賞できるようにした建築内装材。
【考案の詳細な説明】
【技術分野】
【０００１】  本考案は、室内を暗くして、天井に蛍光材料にて星座模様（四季別星座）を浮き出させる建築内装材に関する。
【背景技術】
【０００２】  従来は、簡易プラネタリウム映写機器、その他機器等により電気・機械的に映し出していた。
【考案の開示】
【考案が解決しようとする課題】
【０００３】  しかし、機械的に高額であったり、発熱したり、操作が必要であったりして，不経済・不安全・不便である。
【課題を解決するための手段】
【０００４】  そこで、建築内装材に蛍光材料を印刷等で星座模様を取り付けて、室内電灯を消すだけで正確に四季の星空等が室内に出現するようにする。
【考案の効果】
【０００５】  よって、本考案の蛍光材付き建築内装材により、室内の電灯を消すにより星座模様を鑑賞して楽しむことができる。たとえば正確な星座模様にすれば、親子で寝ながらにして天文に対する学習機会を得られたり、時には就寝のおり、遠い故郷や友との思い出にひたるもよし、ラジオを聴きながら眠るもよし、リラツクス効果により健康的な生活が送れて、しかも経済的、さらに蛍光色の色合いが非常に神秘的で安全快適な星空が楽しむことが可能となる。最終的には、日本の家庭の子供部屋等に屋内の星座を網羅して子供達の情操を高める。
【考案を実施するための最良の形態】
【０００６】  本考案に係る星座鑑賞・学習のための蛍光材料付き建築内装材は、図−１に示すように何の変哲もない天井等の室内面を単に暗くすることで、夜空に輝く星座の世界等の模様を出現させるものであることから、一般的な建築内装材（壁紙等）に星座等模様を印刷，貼り付け、塗布したもので可能である。
【図面の簡単な説明】
【０００７】
【図１】  本考案に係る蛍光材料付き内装材の星座模様の変化を表している。この場合は、正確な星座模様となっていないが、各地の四季の星空に合わしたものとする。
【符号の説明】
【０００８】  １    建築内装材（壁・天井紙等）
２    蛍光材料（点・線状等模様）
【図１】
0003134609.tif 000003
(57)【要約】      （修正有）【課題】容器そのものに付加価値を付け、中身を消費したあとも容器そのものを活用させることができる電子音発生装置及び動画表示装置付き容器の提供。【解決手段】音声発生器（イ）を備えている。容器の蓋を開けると音声装置のスイッチが入り、音声発生器（ロ）より音が出て、動画表示・発生装置（ハ）より動画が表示される。【選択図】図１
0003134649.tif 000002
【実用新案登録請求の範囲】
【請求項１】
電子音声発生装置及び動画表示装置をつけたことを特徴とする容器。
【考案の詳細な説明】
【技術分野】
【０００１】  本考案は、物を入れる容器に電子音声発生・動画表示装置を組み込んだことに関するものである。
【背景技術】
【０００２】  従来、電子音声発生装置を取り付けた物として祝い電報や二つ折り形式の物があるが、本考案は、物入れに利用されている容器に音声発生装置及び動画表示装置を取り付けたものである。容器は中身を保護する目的で作成されている。しかし、容器の多くは中身が無くなったあとも物入れに使えるものも多い。今回の新案は、容器に電子音声発生装置や動画表示装置を取り付けることで、容器の蓋を開けると起動装置が作動し、音楽や声等の音が出たり、風景や人物等の動画が表示される仕組みを組込むことで、容器を開ける度にリラクゼーションにつながる時間を持てるということが考えられる。
【考案の開示】
【考案が解決しようとする課題】
【０００３】  上述のとおり、従来物を入れるために利用されている容器では次のような問題点があった。
ア）センスのよい容器でも中身がなくなれば無用のものとなり破棄している。
イ）容器を再利用する楽しみがない。
【課題を解決するための手段】
【０００４】  そこで、物を入れる容器に音声発生装置及び動画表示装置を取り付け、容器を開けると音楽や声等の音が出たり、風景や人物等の動画が表示されるようにした（図１）。
【考案の効果】
【０００５】  本考案によれば、音声発生装置によって「音楽」や「人の声」が容器の蓋を開ける度に流れたり、動画表示装置を付けることで音の効果を増強させることができる。
この容器を使って贈り物をすれば、受け取り側には中身を贈られた喜びだけでなく、容器が手元に残されることにより贈り主の気持ちがいつまでも贈られた人の心の中で継続される効果が望める。
【考案を実施するための最良の形態】
【０００６】  本考案にかかる電子音声発生・動画表示装置付き容器は、図面に示すように、音声発生器（イ）を備えている。容器の蓋を開けると音声装置のスイッチが入り、音声発生器（ロ）より音が出て、動画表示・発生装置（ハ）より動画が表示される。
【図面の簡単な説明】
【０００７】
【図１】音声発生装置・動画表示装置付き箱型容器を示した斜視図である。
【図２】箱型容器の内側の図面である。
【符号の説明】
【０００８】（イ）音声装置（フタを開けると音声が流れ、閉じると止む）
（ロ）音声発生器
（ハ）動画表示・発生装置
【図１】
0003134649.tif 000003
【図２】
0003134649.tif 000004